Podtech/llm-jp-corpus-v4-ja_patent huggingface dataset:
(57)【要約】【課題】本発明は、複数の物干し具を取り扱う手間と、複数の物干し具を使うためのスペースを不要とし、本発明の物干し具ひとつで物干し作業を完結することのできる、ハンガーとピンチが混在する理想の物干し具を提供することを目的としている。【解決手段】全体を、吊り下げ部に吊り下げ保持する吊り下げ部材を最上部に有し、そこから下方向に伸びた数本の支持部材により、本体を支える構成の物干し具において、本下部に複数個のピンチと複数個のハンガーが混在する構成とした。【選択図】図４
2006223772.tif 000002
【特許請求の範囲】
【請求項１】
全体を、吊り下げ部に吊り下げ保持する吊り下げ部材を最上部に有し、そこから下方向に伸びた数本の支持部材により、本体を支える構成の物干し具であり、さらに本体下部に複数個のピンチと複数個のハンガーが混在することを特徴とする物干し具。
【請求項２】
本体がヒンジを介して２つ折可能となる請求項１の物干し具。
【発明の詳細な説明】
【技術分野】
【０００１】本発明は物干し具に関する。
【背景技術】
【０００２】従来から洗濯物を効率よく干すための物干し具として、上部に本体吊り下げに用いる吊り下げ部を有し、吊り下げた下部の枠形状または円形状本体から複数のハンガー、又は複数のピンチが吊設されている物干し具が用いられている。【０００３】図２および図３は洗濯物を干すために従来より使用されている物干し具の斜視図である。
【発明の開示】
【発明が解決しようとする課題】
【０００４】複数のピンチで構成された物干し具では洗濯物をピンチで挟んで支持するため、タオルなどが型崩れし変形して乾いてしまう問題があり、複数のハンガーで構成された物干し具だけでは、ピンチを使って干した方が効率的な靴下等の洗濯物を干すことが難しいという問題がある。そのため洗濯物の量に関係なく、複数のピンチで構成された物干し具と、複数のハンガーで構成された物干し具の、両方を使用することを余儀なくされてしまうことで、物干し作業に手間がかかり、少なくとも２つ以上の物干し具用スペースを要求されるという問題がある。【０００５】本発明は、複数の物干し具を取り扱う手間と、複数の物干し具を使うためのスペースを不要とし、本発明の物干し具ひとつで物干し作業を完結することのできる、ハンガーとピンチが混在する理想の物干し具を提供することを目的としている。
【課題を解決するための手段】
【０００６】本発明にかかる物干し具はこのような目的を達成するために、全体を、吊り下げ部に吊り下げ保持する吊り下げ部材を最上部に有し、そこから下方向に伸びた数本の支持部材により、本体を支える構成の物干し具であり、さらに本体下部に複数個のピンチと複数個のハンガーが混在する構成とした。【０００７】図４および図５および図６は本発明の形状を示す斜視図である。
【発明の効果】本発明にかかる物干し具は次のような効果をもたらすものである。【０００８】少量の洗濯物の場合、本発明の物干し具を使用することで、靴下等のピンチで干すことが効率的な洗濯物はピンチで干すことができ、またピンチで干すことで変形して乾くことを避けたいタオル等の洗濯物もハンガーで干すことができる。したがって少量の洗濯物の場合、複数の物干し具を使用する必要がない。【０００９】洗濯物が少量の場合、本発明の物干し具だけで、ピンチとハンガーの双方を利用した理想の物干し作業ができるため、複数の物干し具を使う必要がなく、物干し場を広く使うことができる。【００１０】本発明の物干し具は、ピンチ部をハンガーとハンガーで挿む構成のため、ピンチ部横のハンガーにタオルなどを干すことで、人に見られたくない下着等の露出を防ぐことができる。【００１１】図７は本発明の使用形態を示す斜視図である。
【発明を実施するための最良の形態】
【００１２】洗濯物の水分等で濡れることと、安価に製造することを考慮すれば、合成樹脂などの耐腐食性の素材で構成することが必要である。
【実施例】以下に本発明の物干し補助具の実施例を図面を参照しつつ説明する。図７は本発明の代表的な使用形態を示す斜視図である。【００１３】図１は本発明にかかる物干し具の斜視図である。この物干し具は、本体１と、吊り下げ部材２と、吊り下げ支持部２２、ヒンジ部３、複数のピンチ４、複数のハンガー５、で構成されている。【００１４】本発明にかかる物干し補助具は上記実施の形態に限定されない。たとえば吊り下げ部の形態や、ヒンジ部の構造、その取り付け位置など適宜変形実施可能である。
【図面の簡単な説明】
【００１５】
【図１】本発明にかかる物干し具の構成を説明するための斜視図である。
【図２】従来より使用されている物干し具の斜視図。
【図３】従来より使用されている物干し具の斜視図。
【図４】本発明にかかる物干し具の形状を示す斜視図である。
【図５】本発明にかかる物干し具の形状を示す斜視図である。
【図６】本発明にかかる物干し具の折りたたみ形状を示す斜視図である。
【図７】本発明にかかる物干し具の代表的な使用形態を示す斜視図である。
【符号の説明】
【００１６】１本体
２吊り下げ部
２２吊り下げ支持部
３ヒンジ部
４ピンチ
５ハンガー
【図１】
2006223772.tif 000003
【図２】
2006223772.tif 000004
【図３】
2006223772.tif 000005
【図４】
2006223772.tif 000006
【図５】
2006223772.tif 000007
【図６】
2006223772.tif 000008
【図７】
2006223772.tif 000009
(57)【要約】【課題】洗濯物を付けた状態で洗濯物干し具を室内のカーテンレールにかけておく時、カーテンに洗濯物が接触して不潔である。外部に洗濯物が干してある時には風によって洗濯物干し具がゆれたり、回ったりしてサッシやベランダの手摺等の汚れが洗濯物に付着ことがある。また、物干し具の連結部分が擦れ合う音がうるさい。【解決手段】洗濯物干し具の向かい合う二辺（短辺）の近くにスライド式の突起物を設け、その先端に吸盤を取り付けたので室内のカーテンレールに洗濯物をかけておく時、カーテンと洗濯物との間にスペース確保ができ接触しない。また、吸盤がクッションになりカーテンを傷つけない。外部に洗濯物が干してある時、同型の洗濯物干し具を吸盤でジョイントまたは、固定物に吸着しておくことにより風によって大きくゆれたり、回ったりすることがなくなる。擦れ合う音も軽減できる。【選択図】図１
2006223775.tif 000002
【特許請求の範囲】
【請求項１】
向かい合う二辺（短辺）の近くにスペース確保及び、ジョイントの為の突起物を設けたことを特徴とする洗濯物干し具。
【請求項２】
前記スペース確保及び、ジョイントの為の突起物はスライド式で先端に吸盤を設けたことを特徴とする請求項１の洗濯物干し具。
【発明の詳細な説明】
【技術分野】
【０００１】  この発明は、洗濯物干し具の形状に関する。
【背景技術】
【０００２】  従来の洗濯物干し具の形状は折りたたみ式本体上部の四隅から金物またはチェーンにより一点で集結し吊り下げられるようになっており、本体下部には洗濯バサミが複数設けられたものである。
【発明の開示】
【発明が解決しようとする課題】
【０００３】しかしながら、以上の技術によれば、洗濯物を付けた状態で洗濯物干し具を室内のカーテンレールにかけておく時、カーテンに洗濯物が接触して不潔である。外部に洗濯物が干してある時には風によって洗濯物干し具がゆれたり、回ったりしてサッシやベランダの手摺等の汚れが洗濯物に付着ことがある。また、物干し具の連結部分が擦れ合う音がうるさい。
そこで、この発明は、洗濯物を付けた状態で洗濯物干し具を室内のカーテンレールにかけておく時、カーテンに洗濯物が接触しないようにスペースを確保し、外部に洗濯物を干してある時に風によって大きくゆれたり、回ったりしない洗濯物干し具を提供することを課題とする。
【課題を解決するための手段】
【０００４】  以上の課題を解決するために、第一発明は、向かい合う二辺（短辺）の近くにスペース確保及び、ジョイントの為の突起物を設けたことを特徴とする洗濯物干し具である。
また、第二発明は、向かい合う二辺（短辺）の近くにスペース確保及び、ジョイントの為の突起物はスライド式で先端に吸盤を設けたことを特徴とする洗濯物干し具である。
【発明の効果】
【０００５】  第一発明、または第二発明によれば、洗濯物干し具の向かい合う二辺（短辺）の近くにスライド式の突起物を設け、その先端に吸盤を取り付けたので室内のカーテンレールに洗濯物をかけておく時、カーテンと洗濯物との間にスペース確保ができ接触しない。また、吸盤がクッションになりカーテンを傷つけない。外部に洗濯物が干してある時、同型の洗濯物干し具を吸盤でジョイントまたは、固定物に吸着しておくことにより風によって大きくゆれたり、回ったりすることがなくなる。擦れ合う音も軽減できる。
【発明を実施するための最良の形態】
【０００６】  この発明の一実施形態を、図１に示す。
洗濯物干し具本体▲１▼は従来通りのものであり、向かい合う二辺（短辺）の近くにスライド式の突起物▲２▼が設けられ、その先端に脱着式の吸盤▲３▼が取り付けられている。スライド式の突起物▲２▼を固定するストッパー▲４▼を設ける。また、突起物▲２▼を収納させておく所はタオル掛けになるため、クリップ▲５▼を設ける。【０００７】「実施形態の効果」
この実施形態によれば、突起物▲２▼の働きで室内のカーテンレールに洗濯物を付けた状態で洗濯物干し具をかけておく時、カーテンと洗濯物との間にスペースが確保でき洗濯物が不潔にならない。また、吸盤がクッションになりカーテンを傷つけない。そして外部に洗濯物が干してある時、同型の洗濯物干し具を吸盤でジョイントさせたり、吸盤を固定物に吸着させておくことにより、大きくゆれたり、回ったりしてサッシのガラスやベランダの手摺の汚れが洗濯物に付着することがない。また、ゆれや連結部分が擦れ合う音を軽減できる。【０００８】「他の実施形態」
突起物▲２▼はスライド式以外に折りたたみアーム式でもよい。
【図面の簡単な説明】
【０００９】
【図１】この発明の一実施形態を示す斜視図である。
【符号の説明】
【００１０】▲１▼  洗濯物干し具本体
▲２▼  スライド式突起物
▲３▼  吸盤
▲４▼  ストッパー
▲５▼  タオルクリップ
【図１】
2006223775.tif 000003
(57)【要約】【課題】  アースの接続において、テープの腐食や、接続が不完全によりアース本線から外れたり、抜け落ちたりすることが多かったが、この発明は、簡単、確実に接続できるアース線を提供することを課題とする。【解決手段】  複数の遊技機７、貸出機８に付属の遊技機付属アース線５を、遊技機７、貸出機８の設置場所に備え付けられるアース本線４に結線するための分配アース線６装置であって、前記遊技機付属アース線５の端部をクリップするクリッパー１と、このクリッパー１に連続するアース線３と、このアース線３を前記アース本線４に固定するための配線コネクター２と、を有することを特徴とする分配アース線６装置。【選択図】  図１
2006223767.tif 000002
【特許請求の範囲】
【請求項１】
複数のパチンコ機、パチスロ機、玉（メダル）貸出機に付属の遊技機付属アース線を、設置場所に備え付けられるアース本線に結線するための分配アース線装置であって、前記付属アース線の端部をクリップするクリッパーと、このクリッパーに連続するアース線と、このアース線を前記アース本線に固定するための配線コネクターと、を有することを特徴とする分配アース線装置。
【発明の詳細な説明】
【技術分野】
【０００１】  この発明は、パチンコ機、パチスロ機（以下遊技機）７、玉（メダル）貸出機（以下貸出機）８のアース配線の結線に用いる分配アース線６形状に関する。
【背景技術】
【０００２】  従来の遊技機７、貸出機８のアース配線は線の皮をむき、ビニールテープにて結線する。
【発明の開示】
【発明が解決しようとする課題】
【０００３】  しかしながら、以上の技術によれば、テープの腐食、結線が不完全によりアース本線４から外れたり、抜け落ちたりすることが多かった。
そこで、この発明は、簡単、確実に結線できるアース線を提供することを課題とする。
【課題を解決するための手段】
【０００４】  以上の課題を解決するために、この発明は、複数の遊技機７、貸出機８に付属の遊技機付属アース線５を、遊技機７、貸出機８の設置場所に備え付けられるアース本線４に結線するための分配アース線６装置であって、前記遊技機付属アース線５の端部をクリップするクリッパー１と、このクリッパー１に連続するアース線３と、このアース線３を前記アース本線４に固定するための配線コネクター２と、を有することを特徴とする分配アース線６装置。
【発明の効果】
【０００５】  この発明によればアース本線４に分配アース線６先に設けたクリッパー１により、遊技機付属アース線５に、簡単、確実に結線できる。
【発明を実施するための最良の形態】
【０００６】  この発明の一実施形態を、図１、図２に示す。アース分配線６本体のアース線３は１．２５〜２．００ｓｑのコードであり、クリッパー１は上部ボタン９を押すことにより中央の穴が開き、遊技機付属のアース５線の皮をむき穴に通し上部ボタン９を離すとクリッパー１に固定され、電気的に結線される。また、配線コネクター２（図３拡大図）はアース線３、アース本線４をくぼみ１２に入れ折返部１１を接触子１０側に折返し、プライヤーで圧着することにより接触子１０にこすれアース線３アース本線４の皮がむけ、電気的に結線されるものを使用している。【０００７】「実施形態の効果」
この実施形態によれば、分配アース線６先のクリッパー１により作業が早く簡単にできる。
クリッパー１と遊技機付属アース線５の結線部分が確実に圧着され外れにくい。
【図面の簡単な説明】
【０００８】
【図１】  この発明の全体的な実施形態を示す図である。
【図２】  この発明の拡大図である。
【図３】  配線コネクター２拡大図である。
【符号の説明】
【０００９】  １  クリッパー
２  配線コネクター
３  アース線
４  アース本線
５  遊技機付属アース線
６  分配アース線
７  遊技機
８  玉（メダル）貸出機
９  上部ボタン
１０  接触子
１１  折返部
１２  くぼみ
【図１】
2006223767.tif 000003
【図２】
2006223767.tif 000004
【図３】
2006223767.tif 000005
(57)【要約】      （修正有）【課題】この発明は、鼻の両側に粘着テープつきのフィルターをはりつけて冷たい空気が脳に刺激をあたえストレスになることをやわらげ、軽作業などにでるホコリなどを鼻のあなにいれさせない装置に関するものである。【解決手段】フィルター１に粘着テープ部３を両側に設け、この粘着テープ部３を鼻の両側にはる。【選択図】図１
2006223803.tif 000002
【特許請求の範囲】
【請求項１】
フィルター１を鼻形に設けて、両側に粘着テープ部３を設け鼻につけるストレス対策鼻ガード装置。
【請求項２】
フィルター１の両側に粘着テープ部３の中央位置にゴム紐４を設けた請求項１のストレス対策鼻ガード装置。
【発明の詳細な説明】
【発明の詳細な説明】
この発明は、鼻に粘着テープつきのフィルターをつけて、鼻に冷えた空気とホコリなどをいれさせないストレス対策鼻ガード装置に関するものである。従来の対策は、口と鼻を防ぐ為にあったので話が聞きずらくスポーツなどでは息苦しかった為つかわないと冷えた空気が脳に伝わりストレスになった。又、軽作業などには使いずらい時があったため鼻の中がホコリなどがはいってしまった、こうした使用者の要望にこたえる為に発明されたのである。その構成を説明すると、ホコリなどをとうさない鼻形のフィルター１を設け両側に粘着テープ部３を設けるこの粘着テープ部３を鼻の両側にはる。次に、本発明の実施の形態を述べると図１の場合、フィルター１の中央から内側におりまげれば小さく携帯できるようにしてもよい。フィルター１の形は、鼻のあなに密着していればさらに小形にしてもよい。本発明の図３の場合、図１の粘着テープ部３中央部にゴム紐４を圧縮して設けるが、あなをあけてゴム紐４をとうした設けかたもよく、又はフィルター１をのびちじみするフィルターにして紐を一体化した設けかたもよい。又、フィルター１をうすいプラスチックにして鼻のあなの部分を設けて、粘着テープつきの鼻のあなを密着できる三角形フィルターを内側鼻あな部に設置するゴム紐４はホチキスでとめるかあなをあけて設ける、この方式は三角形フィルターを交換するタイプなので経済的ある。又、ゴム紐４は片側ずつ圧縮などをして２本で設けるが、１本ずつにして頭にかぶるようにして設置するタイプの設けかたも、同じ効果がある。又、フィルターの形はハート形などでも鼻のあなに密着してあればよい。本発明は、以上の構成であるから冷たい空気時の通勤の人あるいはスポーツの時または軽作業などに脳えの刺激をやわらげストレス対策になり、同時にホコリあるいは車のディーゼルエンジンからでるススなどを鼻にいれない。
【図面の簡単な説明】
【図１】本発明の斜視図
【図２】本発明の使用斜視図
【図３】本発明の他の実施例の斜視図
【符号の説明】
１はフィルター２は先端部３は粘着テープ部４はゴム紐５は鼻
【図１】
2006223803.tif 000003
【図２】
2006223803.tif 000004
【図３】
2006223803.tif 000005
(57)【要約】【課題】    従来のポケット前段は単なるもの入れにすぎない。語学ＢＯＯＫ前段を設けることによって、子供の語学基礎を正しく身につけることができる。又は  ＩＴ基礎の学習はｍｉｎｉＳＤカード操作を通して  将来のための人材を育てる最大の課題である。【解決手段】    ランドセル前段として語学ＢＯＯＫ前段を設け学習用ページを使って絵を見ながら絵ボタンを押すと絵単語の発音を正しく習得することができる。ｍｉｎｉＳＤカードを使用によって単語  短文  文章  編集など等  レベルの向上にしたがってＳＤカードで対応することができる。【選択図】    図１
2006223802.tif 000002
【特許請求の範囲】
【請求項１】
語学ＢＯＯＫ機能付き前段を取り外しできるように設けたランドセル。
【請求項２】
語学ＢＯＯＫ機能付き前段を取り外しできるように設けた一般用通園バッグ。
【発明の詳細な説明】
【技術分野】
【０００１】  本発明は、語学機能と語学環境及び学習能力の向上を図ることのできるランドセルである。
【背景技術】
【０００２】  従来のランドセルには  物を入れるポケット前段がある。
【発明の開示】
【発明が解決しようとする課題】
【０００３】  従来のランドセルの前段では  単純に物を入れることしかできなかった。【０００４】  本発明は  従来の物を入れることしかできなかったポケット前段を語学機能付きの前段に進化させることによって子供の語学能力アップを実現することを目的とするものである。
【課題を解決するための手段】
【０００５】  本発明は上記目的を達成するために語学ＢＯＯＫ前段が従来の物入れしかできないポケット前段のかわりにランドセルの最新型前段として設けたものである。絵ページを見ながら絵の下に設けたボタンを押すと今までに触れることのない英語単語の発音はスピーカーを通して音声で正確に教えることができる。又はｍｉｎｉＳＤカード設けることによって学習内容をより一層充実した物にすることができる。【０００６】  また、取り外すことが出来る為  時と場合によっては従来のランドセルのように使用することも可能である。
【発明の効果】
【０００７】  前述したように本発明の語学ＢＯＯＫランドセル前段は子供の語学能力を向上させるには大きな期待ができる。
また、ｍｉｎｉＳＤカードを取り入れることで  進級するたびにレベルがあがり子供の楽しみにもなる。将来のＩＴ技術に関して基礎的な知識を身に付けることもでき、より多種多様な学習方法がＳＤカードの登場によって千変万化  または無限な内容が子供の前に現れる。遊びと共に成長して学習環境も充実できる。
【発明の実施するための最良の形態】
以下、本発明の実施の形態を図１〜図３に基づいて説明する。
【０００８】  図においては  １はランドセルの本体で  ２は語学ＢＯＯＫ前段である。
【０００９】  本発明の中心としての語学ＢＯＯＫ前段２に  ４を使って  本体１と連接する。
【０００１０】  絵ボタンｌ４を押すと  １３の絵の英語の発音がスピーカー３を通して音声によって瞬時に出て来る。
【００１１】  練習方法の１つとして  質問ボタン６を押すと  絵を表現した単語がスピーカー３から出て来る、その音声に合わせて正しい絵の下のボタンを押すと正確であればメロディーと共に  ピンポーンと判断される。間違いボタンを押すと同じようにメロディーと共に  ブー（間違いですよ）と判断される。
【００１２】  練習方法のもう１つの方法として  再生ボタン５を設けています。一度で聞き取れない場合などに何度でも聞けるように５を押すこともできます。
【００１３】  静かな学習環境を得られるよう  ９と連接してヘッドホンを使用することもできる。
【００１４】  学習レベルの向上に伴って  学習内容の増加を考えると学習用ページ１８を設けています。
学習用ページ１８を使って  １９を１１に挿入して  ボタンはめる穴２１を絵ボタン１４にはめると同時に  ページスイッチ当たり２０がそれに合うページ当たりスイッチ１２に当たります。すると  そのページにある絵の単語が１４を押すと新しい単語の習得ができる。
【００１５】  学習レベルを更に向上させて  より豊富で楽しい学習環境を作ると同時にＩＴ社会に対応出来るための基礎として  ｍｉｎｉＳＤカードを取り入れ、その内容は無限で楽しめることができるようになっている。ｍｉｎｉＳＤカードを１５の中に差し込むとモニター７の画面に内容が出て来る、その画面上に求めたい物と或いは作りたい物があればＳＤカード操作キー１６で操作することができる、同時にピアノキー１７も付属キーとして役に立ちます。
【００１６】  学習ばかりでもない、気分転換を図ると  ピアノキー１７は文字通りピアノとして曲を弾くことも楽しめる。
【産業上の利用可能性】
【００１７】    何十年もほぼ同じようなデザインのランドセルがこの分野で悩まされて来た一つの課題でもあった。今までにせめて色の増色によってのみ、この分野で客の目をひくことはなく、進化的なデザインと機能的なランドセルはなかった。
語学ＢＯＯＫ前段付きランドセルは画期的なものとして、デザインだけでなく、機能的に大きな期待ができる。
この分野で脱ランドセル  リュック型への移行を食い止める役割ができると同時に  語学ＢＯＯＫ前段付きランドセル使用によって、ＳＤカードとプリンターの需要も出てくる。ＳＤカードの交換ブームが起きた場合を想像して、産業にもたらす経済効果は大きい。
【図面の簡単な説明】
【００１８】
【図１】    本発明の正面から見るイメージ図
【図２】    本発明の正面図
【図３】    本発明の側面図
【符号の説明】
【００１８】  １      ランドセル本体
２      前段
３      スピーカー
４      本体と語学ＢＯＯＫ前段の連接ファスナー
５      再生ボタン
６      質問ボタン
７      モニター
８      電池
９      ヘッドホン挿入口
１０      スイッチ
１１      ページ固定口
１２      ページ当りスイッチ
１３      単語を表す絵
１４      絵ボタン
１５      ｍｉｎｉＳＤ挿入口カード
１６      ｍｉｎｉＳＤカード操作キー
１７      ピアノキー
１８      学習用ページ
１９      ページ固定凸
２０      ページスイッチ当り
２１      絵ボタンを填めるための穴
【図１】
2006223802.tif 000003
【図２】
2006223802.tif 000004
【図３】
2006223802.tif 000005
【手続補正書】
【提出日】平成17年5月17日(2005.5.17)
【手続補正１】
【補正対象書類名】特許請求の範囲
【補正対象項目名】全文
【補正方法】変更
【補正の内容】
【特許請求の範囲】
【請求項１】
語学ＢＯＯＫ機能付き前段を取り外しできるようにもうけたランドセル。
【請求項２】
語学ＢＯＯＫ機能付き前段を取り外しできるように設けた一般用通園バック、児童用リュック、通学用リュック、一般用リュック。
(57)【要約】      （修正有）【課題】ストラップのシートにクリップなどの取付け用の穴を開けた場合に、見栄えがよくかつシートが切れないようにしたストラップを提供する。【解決手段】穴３を開けたシート２にハトメ１を取付ける。【選択図】図１
2006223801.tif 000002
【特許請求の範囲】
【請求項１】
ストラップのシート部分に穴を開けハトメが取付けられていることを特徴とするストラップ。
【発明の詳細な説明】
【技術分野】
【０００１】本発明はストラップに関する。
［背景技術］【０００２】シートの先端にリング状の金具を取付けてあるストラップは公知である。
［発明の開示］
［発明が解決しようとする課題］【０００３】しかしながらシート部分に穴を開けただけのストラップは見栄えが悪く、シートが切れるという問題があった。
［課題を解決するための手段］【０００４】本発明はストラップのシートの穴を開けた部分にハトメが取付けられていることを特徴とする。
［発明の効果］【０００５】本発明のストラップはハトメが取付けられている穴が開いてる部分にクリップなどを取付けることが出来る。
［発明を実施するための最良の形態］【０００６】本発明のハトメが取付けられている穴にクリップを取付ける。
［実施例］【０００７】本発明のストラップを携帯電話に取付け、ハトメの穴部分にクリップを取付け、そのクリップを服の胸ポケットに取付ける。携帯電話を使用しない時は、携帯電話を胸ポケットにしまい、使用する時はクリップを胸ポケットから外さず使用する。
［産業上の利用可能性］【０００８】本発明は携帯電話などを落とさず使え、産業上の利用可能性がある。
【図面の簡単な説明】
【０００９】［図１］「シートにハトメが取付けてあることを示した平面図である。」
［図２］「本発明のストラップのハトメの取付け部分を示した平面図である。」
【符号の説明】
【００１０】１ハトメ
２シート
３穴
４金具
５紐
【図１】
2006223801.tif 000003
【図２】
2006223801.tif 000004
(57)【要約】【課題】おおよその家庭で使用されている室内や車内などのゴミや埃を除去する為に用いられる清掃具に使用中に発生する静電気を除電できる機能を付加し、静電気によるゴミや埃の付着や２次災害を防止すること【解決手段】静電気除去力の高い導電性繊維を用いた除電ブラシを清掃具に取り付け、清掃面に接着させながら使用することで清掃中に発生した静電気を瞬時に除電しながらゴミや埃を除去できるようにした。【選択図】  図１
2006223809.tif 000002
【特許請求の範囲】
【請求項１】
導電性繊維で形成された除電ブラシを用いて清掃中に清掃面との間に発生する静電気を除電する機能を携えたゴミや埃を除去する為の清掃具
【請求項２】
清掃具のゴミや埃を除去材の取り付け部に除電ブラシを取り付けできる構造
【請求項３】
除電ブラシと清掃具へのブラシ取付部からなり除電ブラシをブラシ取付部に上下にスライドさせて固定できる取り付けできる構造
【発明の詳細な説明】
【技術分野】
【０００１】本発明は室内や車内などのゴミや埃を除去する為に用いられる除電機能を備えた清掃具に関するものである。
【背景技術】
【０００２】一般に室内や車内などのゴミや埃を除去する為に用いられる清掃具は繊維性のシートやモップを用いてゴミや埃を除去することばかりで、清掃面との間に発生する静電気には何の対処もされていなかった。
【発明の開示】
【発明が解決しようとする課題】
【０００３】清掃具の使用中、清掃面との間に発生する静電気はその引力や反発力により清掃具で除去しているはずのゴミや埃が再び清掃面に付着するなど清掃具のゴミや埃の除去力を減少させ、また電子機器の故障や電撃による火災などの２次災害の要因となる他、人体への帯電しそれによる放電を起こす原因となっていること。【０００４】おおよその家庭で使用されているゴミや埃を除去する為の清掃具に除電機能を簡単に取り付けできる構造にすること。
【課題を解決する為の手段】
【０００５】従来技術としてある繊維に導電性の高い金属を混入させた導電性繊維で形成された除電ブラシを清掃具に取り付けることで清掃しながら静電気を除電し静電気の引力や反発力により清掃面に再び付着したゴミや埃を除去・再付着防止する事を可能にした。
【０００６】本品を除電ブラシとブラシ取り付け部に分け、除電ブラシをブラシ取り付け部に差し込みねじで固定させる構造にすることで清掃面への高さが異なる清掃具別に高さ調節を可能にした。またこの構造により除電ブラシに付着した埃等のゴミ清掃も容易に行うことができる上に除電ブラシとして単体での使用も可能にしている。
【発明の効果】
【０００７】本発明は上記のように構成しているので以下に記載されるような効果を奏する。
【０００８】清掃具の使用中に発生する静電気を除電しながらゴミや埃を除去することができる。
【０００９】おおよその家庭で使用されているゴミや埃を除去する為の清掃具に取り付け使用できる。
【００１０】除電ブラシの清掃、水洗浄が容易にでき、その効果を損なうことなく継続使用できる。
【発明を実施する為の最良の形態】
【００１１】除電ブラシを可能な限り清掃具側に密着するように本品を取り付けすることで発生した静電気を瞬時に除電しながら清掃できるようにした。
【実施例】
【００１２】以下この発明の実施形態を図面に基づいて詳細に説明するが、除電ブラシは従来ある技術を用いているので除電ブラシについての説明は省略する。【００１３】図３のように５を３に差し込む。【００１４】図４が示すように３を２を用いて１に固定する。このとき図２のように１の中央位置にくるように固定する。【００１５】図５のように６を清掃面に接着した状態で４を用いて差し込んでおいた５固定する。【００１６】上記のように設置された除電ブラシを清掃方向後方に位置させて清掃具を使用することでゴミや埃を除去しながら除電し、また除電ブラシが静電気の引力、反発力で清掃面に再付着したゴミや埃を除去する。
【図面の簡単な説明】
【００１７】
【図１】除電ブラシと清掃具を取り付けた斜視図
【図２】除電ブラシと清掃具を取り付けた上図
【図３】除電ブラシと除電ブラシ取り付け部の組立を示す斜視図
【図４】除電ブラシ取り付け部と清掃具への組立を示す斜視図
【図５】除電ブラシの高さ調整を示す横図
【符号の説明】
【００１８】  １    清掃具のゴミや埃の除去材の取り付け部
２    両面粘着シート
３    除電ブラシ取り付け部
４    除電ブラシ固定ねじ
５    除電ブラシ
６    導電性繊維
【図１】
2006223809.tif 000003
【図２】
2006223809.tif 000004
【図３】
2006223809.tif 000005
【図４】
2006223809.tif 000006
【図５】
2006223809.tif 000007
(57)【要約】【課題】冬の寒い時期などに、入浴中、背中の暖まりが悪いのを解消するための背もたれ器を提供する。【解決手段】背もたれ部１と浴槽２との間に空間４を設け、湯の通りをよくし、身体全体が均一に暖かくできるようにする。【選択図】    図２
2006223806.tif 000002
【特許請求の範囲】
【請求項１】
背もたれ部本体に支柱をつける
【請求項２】
網目、又は格子の交点に薬石を埋め込む
【発明の詳細な説明】
【技術分野】
【０００１】本発明は、入浴の際、通常、浴槽に直に背中を着けて入浴するが、背を密着させることで背中に湯が廻らず、温浴効果が得られない。
そこで、浴槽と背中の間に空間を設けて、背部に湯を通すことで全身を暖かく使用できるようにしたものである。
【背景技術】
【０００２】従来は入浴の際に使う背もたれ器はなかった。
【発明の開示】
【発明が解決しようとする課題】
【０００３】冬の寒い時期など入浴の際、体の前面は暖かくなっても背部は暖かくなかった。本発明は、この課題を解決するためになされたものである。
【課題を解決するための手段】
【０００４】合成樹脂製の背もたれ部１と浴槽２との間に支柱３を付け、空間４を設けた。また、背もたれ部本体１を構成する網目、又は格子状７の交点に黒曜石、又はトルマリン等の薬石５を埋め込み、より一層の温浴効果を得られるものとする。
また、背もたれ部本体は吸着盤等により浴槽縁に取り付けるものとする。
【発明の効果】
【０００５】寒い時期でも入浴の際、全身が暖かくなる。しかも、薬石を埋め込むことで薬理作用が発生する。
以下、本発明の実施の形態について説明する。
（イ）．  背もたれ部１に支柱３を付けたものを浴槽の縁に取り付ける。
（ロ）．  背もたれ部本体１の格子７の交点に、くぼみを付け薬石５を埋め込む。
【実施例１】
【０００６】
【図面の簡単な説明】
【０００７】
【図１】本発明の正面図である。
【図２】本発明の使用状態を示す側面図である。
【符号の説明】
【０００８】１  背もたれ部本体
２  浴槽
３  支柱
４  空間
５  薬石
６  吸着盤
７  格子
【図１】
2006223806.tif 000003
【図２】
2006223806.tif 000004
(57)【要約】【課題】  この発明は、敷布団の上に本発明の袋状になった部分を被せて、使用者を横たえ、その中央部を自在に開閉することにより、頭部以外全身の保温を可能とした寝具に関するものである。【解決手段】  布１の中央部に逆三角形型と直線の切れ目を入れ、その直線部分に自在に開閉できる接合部品３を設け、布１と布２を袋状に縫い合わせる。【選択図】  図１
2006223810.tif 000002
【特許請求の範囲】
【請求項１】
開閉が自在にでき、一部が袋状になった寝具。
【発明の詳細な説明】
【発明の詳細な説明】
【技術分野】
【０００１】  この発明は、中央部が開閉し、一部が袋状になった布を敷布団にかぶせ、使用者の頭部をこの布の開閉部分上部の切れ目より出した状態で使用することにより、肩から手先にかけての保温を可能とした寝具に関するものである。
【背景技術】
【０００２】  乳幼児は横たえると、手腕部分を上げるという独特の体勢のため、掛け布団からこの部分が露出してしまう。このため冬期など、気温の低い時期は冷えて冷たくなり、しもやけ等、冷えによる疾患の心配があった。このため従来は、全身を覆うツナギ状の分厚い就寝用おくるみを着用するか、もしくは手袋と就寝用ベストを着用することにより保温していた。
【発明が解決しようとする課題】
【０００３】  しかし、分厚く全身を覆う就寝用おくるみは、乳幼児にとって手足を自由に動かしづらく、煩わしいものであった。また、手袋は乳幼児自身が取ってしまったり、就寝中に外れてしまうことが多々あった。
【課題を解決するための手段】
【０００４】  本発明はこうした欠点を解決し、確実に保温できる寝具を開発しようとするものである。
以下この構成を説明すると、
（イ）布１の中心に逆三角形型と直線よりなる切れ目を入れる。
（ロ）直線部分の切れ目に自由に開閉可能な接合部品３を設ける。
（ハ）逆三角形型の切れ目に縁取り布４を縫い付ける。
（ニ）直線部分の切れ目上部に保護布５を設ける。なおこれは、接合部品３をファスナーにした場合、使用者の肌を引っ掛かけて傷つけないようにするためであるので、接合部品３をボタン等、直接肌に触れないものにした場合は必要ない。
（ホ）布１の下部に布２を設け、布１と布２全体の周囲に縁取り布４を縫い付ける。
以上のように構成する。
なおこれらの素材として好ましいものは、
（ヘ）布１、布２は通気性、保温性に優れるとともに、直接肌に触れる部分なので、やわらかく、吸水性にとんだもの。
（ト）接合部品３は怪我の防止のため金属製ではなく、プラスティックスといった弾性の素材。
（チ）接合部品３はファスナー、ボタン、マジックテープ等、手早く簡単に開閉できるものなら何でもよい。
また、本発明の使用者は乳幼児であるため、何度も洗濯する必要性がでてくる、なおかつ、主に使用する時期が冬季であることから、度重なる洗濯に耐えるものであるとともに、速乾性の素材であることも重要である。
【発明を実施するための最良の形態】
【０００５】  本発明はこのような構造であるから、これを使用するときはまず、布１と布２の袋状になった部分を敷布団にはめ、次に接合部品３を開いて中に使用者を横たえる。最後に使用者の頭部以外の部分を布１の中へおさめて、接合部品３を頭部の位置にあわせて適当なところまで閉じる。その上に、気温にあわせて毛布や掛け布団等を使用すればよい。
【発明の効果】
【０００６】  このように使用すれば、乳幼児は本発明の中で自由に手足を動かすことができ、なおかつ頭部以外、全身の体は布の中へ入っているので冷えることはない。このことにより乳幼児は、手足の自由な動きを妨げられることなく、肩から手先にかけての露出してしまう部分を確実に保温することができるのである。また開閉が簡単にできるため、使用者が寝付くまでは、接合部品３を開いたまま自由に遊ばせておき、寝付いた後閉じるようにすれば、着衣させるのと異なり乳幼児を目覚めさせることなく、暖かく就寝させることができるのである。
【図面の簡単な説明】
【図１】  本発明の斜視図
【図２】  接合部品３をファスナーにした逆三角形型切れ目の拡大図
【図３】  接合部品３をボタンにした逆三角形型切れ目の拡大図
【図４】  本発明の実施例を示す断面図
【符号の説明】
１は布
２は布
３は接合部品
４は縁取り布
５は保護布
６はマジックテープ
７はボタン
８は使用者
【図１】
2006223810.tif 000003
【図２】
2006223810.tif 000004
【図３】
2006223810.tif 000005
【図４】
2006223810.tif 000006
(57)【要約】【課題】  羽状の物体がついた生理用ナプキンと羽状の物体がついていない生理用ナプキンを使分けるには、両方のナプキンを購入する必要があるが本発明のナプキンのみで兼用することができる。【解決手段】  経血を吸収するナプキン主体部と横漏れ防止や位置ズレ防止等の機能を持つ羽状の物体が１つの生理用ナプキンを構成する境目の部分に縦方向又は縦状態に経血がショーツに浸透しない程度の細かいミシン目加工のようなものを施し羽状の物体の切り離しを可能にすることで、羽状の物体がついた生理用ナプキンとしても羽状の物体がついていない生理用ナプキンとしても使用できる使い分けのできる生理用ナプキン。【選択図】図２
2006223890.tif 000002
【特許請求の範囲】
【請求項１】
生理時に使用する、吸収性、通気性、消臭性などの特性を合わせ持った肌に接触する経血を吸収する表面と、ショーツに接し経血をショーツに浸透させない加工をした裏面とからなるナプキン主体部、並びに経血の横漏れ防止や位置ズレ防止等の役割をはたす羽状の物体がナプキン主体部の両側についている生理用ナプキンにおいて、経血を吸収するナプキン主体部と羽状の物体が１つの生理用ナプキンを構成する境目の部分に縦方向又は縦状態に経血がショーツに浸透しない程度の細かいミシン目加工のようなものを施した特徴を持つ生理用ナプキンであり、経血を吸収するナプキン主体部から羽状の物体を切り離す事ができ、羽状の物体がついた生理用ナプキンとしても羽状の物体がついていない生理用ナプキンとしても使用できる使い分けのできる生理用ナプキン。
【発明の詳細な説明】
【技術分野】
【０００１】  本発明は１形状ナプキンを形状変更し使分けができる生理用ナプキンに関する。
【背景技術】
【０００２】  従来の羽状の物体がついた生理用ナプキンの羽状部分を折りたたみ押し込む方法で羽状の物体がない生理用ナプキンになるものがあるが、構造が複雑なため、加工コストや使用方法が煩雑になる。
【特許文献１】  特開平０７−７５６５４号
【発明の開示】
【発明が解決しようとする課題】
【０００３】  生理時、経血の量や身に着けるショーツの構造上又は、日常生活の活動状況に応じて、羽状の物体がついた生理用ナプキンと羽状の物体がついていない生理用ナプキンを使分ける場合があり、両方のナプキンを購入しなくてはならない。【０００４】  本発明は、羽状の物体がついたナプキンのみを購入することで羽状の物体がついた生理用ナプキンとしても羽状の物体がついていない生理用ナプキンとしても使用できる使い分けのできる生理用ナプキンを実現するものである。
【課題を解決するための手段】
【０００５】  生理時に使用する、吸収性、通気性、消臭性などの特性を合わせ持った肌に接触する経血を吸収する表面と、ショーツに接し経血をショーツに浸透させない加工をした裏面とからなるナプキン主体部、並びに経血の横漏れ防止や位置ズレ防止等の役割をはたす羽状の物体がナプキン主体部の両側についている生理用ナプキンにおいて、経血を吸収するナプキン主体部と羽状の物体が１つの生理用ナプキンを構成する境目の部分に縦方向又は縦状態に経血がショーツに浸透しない程度の細かいミシン目加工のようなものを施した特徴を持つ生理用ナプキンであり、経血を吸収するナプキン主体部から羽状の物体を切り離す事ができ、羽状の物体がついた生理用ナプキンとしても羽状の物体がついていない生理用ナプキンとしても使用できる使い分けのできる生理用ナプキン。
【発明の効果】
【０００６】  横漏れ防止や位置ズレ防止等の役割をはたす羽状の物体がショーツの構造上ショーツに着けにくい場合もある。経血が少量時は必ず必要ではない。ショーツとナプキンによる蒸れをナプキン主体部から羽状の物体をミシン目加工より切り離し除去することにより軽減することも可能であり、羽状の物体がついていない生理用ナプキンとして使用することができるため、本発明の生理用ナプキンのみで日常生活の活動状況や状況に応じ、羽状の物体がついた生理用ナプキンと羽状の物体がついていない生理用ナプキンに使分けることができる。また複雑な生産加工技術を必要としない。使用方法も簡単なため年代を問わず使用できる。
【実施例】
【０００７】  以下に本発明の実施例を示した図面を基に具体的に説明する。【０００８】  本発明の生理用ナプキンは図１の１に示す従来の羽状の物体がついた生理用ナプキンに関するものである。【０００９】  図２は本発明の生理用ナプキンの平面図であり経血を吸収するナプキン主体部２の両側に羽状の物体３がついた生理用ナプキンであるがナプキン主体部２と羽状の物体３が１つの生理用ナプキンを構成する境目の部分４に縦方向又は縦状態に経血がショーツに浸透しない程度の細かいミシン目加工のようなものが施してある。本発明の生理用ナプキンを使用する時に羽状の物体３が必要ない時は、図３に示す３ａの羽状の物体を４ａのミシン目から切り離す。本図の中心より左側は、その方法によって使用する実例を示しナプキン主体部２より羽状の物体３が切り離されたものを示す。【００１０】このように、両方の羽状の物体３を切り離すと図４のように羽状の物体３がついていない、ナプキン主体部２のみの生理用ナプキンに形状変更することができ、羽状の物体がついた生理用ナプキン１を羽状の物体がついていない生理用ナプキン２として使用でき使い分けができる。
【図面の簡単な説明】
【００１１】
【図１】  羽状のついた従来の生理用ナプキンの平面図
【図２】  本発明の生理用ナプキンの平面図
【図３】  羽状の物体を切り離して使用する時の説明図
【図４】  羽状の物体を切り離し形状変更された図
【符号の説明】
【００１２】  １    従来の羽状の物体がついた生理用ナプキン
２    経血を吸収するナプキン主体部
３    左右同形の羽状の物体
３ａ  右側羽状の物
４    細かいミシン目加工
４ａ  右側ミシン目加工
【図１】
2006223890.tif 000003
【図２】
2006223890.tif 000004
【図３】
2006223890.tif 000005
【図４】
2006223890.tif 000006
(57)【要約】      （修正有）【課題】財布に入れたクレジットカードやキャッシュカードは、特殊な読取装置を用いることで外部から機密情報を盗まれるという問題が発生している。【解決手段】スキミング信号を通さない金属板に着目し、財布の中のクレジットカードを覆うように金属板を装着することで、スキミング装置の読み取り信号を遮断することが可能となる。財布の形やカード入れの並びなどを考慮した、財布入れスキミング防止具を考案した。【選択図】図４
2006223818.tif 000002
【特許請求の範囲】
【請求項１】
クレジットカードやキャッシュカードなどの機密情報の違法な読み取り（スキミング）に対して、財布のカード入れ又はお札入れの部分に装着することで、効果的にスキミングを防止することのできるスキミング防止具。本スキミング防止具は、スキミング装置の読み取り信号を遮断する耐磁非鉄金属板を財布に入れやすいように二枚に分け、カードを挟みこむように装着するものである。
【発明の詳細な説明】
【技術分野】
【０００１】本発明は、不正カード読み取り（スキミング）の防止に関するものである。
【背景技術】
【０００２】スキミングの読み取り信号が、金属を通さない事実を利用したもの。
【発明の開示】
【発明が解決しようとする課題】
【０００３】たとえ財布などに入れたクレジットカード等であっても、特殊な読取装置を用いることで外部から機密情報を盗まれるという問題が発生している。
【課題を解決するための手段】
【０００４】読取装置の信号を遮断する金属でカードを覆うことで、読み取り信号のカードへの到達を阻止する。
【発明の効果】
【０００５】財布に入れたクレジットカードなどの機密情報をスキミングされることを防止することができる。
【発明を実施するための最良の形態】
【０００６】財布のカード入れ又はお札入れの部分に、金属の板をカードを挟みこむような形態になるように取り付ける。
【産業上の利用可能性】
【０００７】  クレジットカードの普及、利便性を損なうようなスキミング行為を防止し、クレジットカード産業の発展促進を可能とする。
【図面の簡単な説明】
【図１】  財布入れスキミング防止板を示した説明図である。
【図２】  財布入れスキミング防止板を示した説明図である。
【図３】  財布入れスキミング防止板の利用イメージを示した説明図である。
【図４】  財布入れスキミング防止板の利用イメージを示した説明図である。
【符号の説明】
１  スキミング装置の読み取り信号を通さない金属板
２  クレジットカードなどの機密情報を有するカード
３  二枚の金属板が分かれないようにつなぎとめておく伸縮可能な部材
４  スキミング装置
５  スキミング読み取り信号
６  財布のカード入れ部分
７  折りたたみ式財布
【図１】
2006223818.tif 000003
【図２】
2006223818.tif 000004
【図３】
2006223818.tif 000005
【図４】
2006223818.tif 000006
(57)【要約】      （修正有）【課題】安全でなおかつ後ろからみてもかわいいピアスの提供。【解決手段】ピアスのキャッチがゴム、シリコン等で囲んで耳の裏側に棒が突き出ないようにして、安全で、かわいい（ビーズなどの）ピアスキャッチとする。【選択図】図１
2006223820.tif 000002
【特許請求の範囲】
【請求項１】
日本国［請求項１］
【請求項２】
世界全部の国［請求項２］
【発明の詳細な説明】
【技術分野】
【０００２】［特許文献１］キャッチから棒がつき出ないゴム［特許文献２］耳の裏のキッチがかわいい［非特許文献１］ピアス［非特許文献２］シリコンでキッチができている［発明の開示］あり［発明が解決しようとする課題］目にささらないように（赤ちゃんや子供・大人）［課題を解決する為の手段］キャッチのシリコンから棒がつき出ないシリコンでなければゴムでいい［発明の効果］世界中に売れて愛される［発明を実施する為の最良の形態］ゴムのキッチで囲う（又はシリコン）［実施例］キャッチなどを糸を引いてビーズなどでかわいくする事［産業上の利用可能性］世界全部の国で売れる
【図面の簡単な説明】
【図１】
2006223820.tif 000003
【図２】
2006223820.tif 000004
【図３】
2006223820.tif 000005
【図４】
2006223820.tif 000006
【手続補正書】
【提出日】平成17年9月22日(2005.9.22)
【手続補正１】
【補正対象書類名】明細書
【補正対象項目名】全文
【補正方法】変更
【補正の内容】
【発明の詳細な説明】
【技術分野】
【０００２】
【特許文献１】キャッチから棒がつき出ないゴム
【特許文献２】耳の裏のキッチがかわいい
【非特許文献１】ピアス
【非特許文献２】シリコンでキッチができている
【発明の開示】
【発明が解決しようとする課題】目にささらないように（赤ちゃんや子供・大人）
【課題を解決する為の手段】
キャッチのシリコンから棒がつき出ない
シリコンでなければゴムでいい
【発明の効果】
世界中に売れて愛される
【発明を実施する為の最良の形態】
ゴムのキッチで囲う（又はシリコン）
【実施例】キャッチなどを糸を引いてビーズなどでかわいくする事
【産業上の利用可能性】世界全部の国で売れる
【図面の簡単な説明】
【図１】ピアスのキャッチにピアス付き棒を入れた図  かわいい耳の裏のキャッチ
【図２】ビーズとかわいいビーズが通せるピアス
【図３】ピアスの横からと斜めから見た図
【図４】ピアスのキャッチを拡大した図
(57)【要約】      （修正有）【課題】外観上使用していることが見えず、軽量で使用する人間が、使用又は治療していることを忘れることができる程気にならないシャツ用健康首巻を提供する。【解決手段】シャツの襟の幅より狭く、シャツの襟の長さより短い遠赤外線物質又は、マイナスイオン発生体又は、電磁波を発する磁気体、ゲルマニウム等含有の長尺の布をシャツの襟の内側に首に巻き、上からネクタイを締め密着させることにより外観には目にみえず、取り外しや外れたりするのわずらわしさ、重みからも解消されながら、首まわりから肩上部までを暖めたり、肩こり等健康上のなやみの用途に合わせた効果をもたらす。【選択図】図１
2006223812.tif 000002
【特許請求の範囲】
【請求項１】
シャツの襟の内側に巻いて使用する首巻であって、本体はシャツの襟の幅より狭く、シャツの襟の長さより短く形成し、シャツの襟の内側に着脱可能としたことを特徴とするシャツ用健康首巻。
【請求項２】
シャツ用健康首巻本体の長尺状のものの一方端にひも体を設け、他方端にひも体と、両端に設けられたひも体を接合する接合部材を設けた請求事項１記載のシャツ用健康首巻。
【請求項３】
上記首巻の表面にマイナスイオン発生体または遠赤外線放射性物質または電磁波を発する磁気体またはゲルマニウム等を含有する布地で形成されていることを特徴とする請求項１又は請求事項２記載のシャツ用健康首巻。
【発明の詳細な説明】
【技術分野】
【０００１】本発明は、シャツの襟の内側に巻いて使用するシャツ用健康首巻きに関する。
【背景技術】
【０００２】従来、首まわり保温するものはマフラーであり、また、肩こり、血圧等の健康上の悩みに対しては、ブレスレット、ネックレスなど外観上露出した健康器具である。
【発明の開示】
【発明が解決しようとする課題】
【０００３】しかしながら、以上の技術によれば、マフラーをしながら、シャツ、ネクタイでの生活又は、勤務することは、商談、作業、打合などさまざまな場面にて仕事でのマナーや外観上の理由、また、巻いたり外したり外れたり手荷物になったりするために、マフラーをしながら首まわりを保温し、常に生活することが日常できない状況が多々存在する。同様に、ブレスレット、ネックレスなど外観上露出した器具では、仕事でのマナーや外観上の理由から常に使用しながら日常生活できない状況が多々存在する。【０００４】そこで、この発明は、外観上使用していること見えず、軽量で使用する人間が、仕事などの日常生活に使用又は治療してことを忘れることができる程気にならないシャツ用健康首巻を提供することを課題とする。
【課題を解決するための手段】
【０００５】以上の課題を解決するために、第１の発明はシャツの襟の幅より狭く、長尺で襟の内側に納まる長さの布状のものであることを特徴とする。【０００６】第２の発明は、長尺の布状のものの両端にひも体をつけ接合部材で両端をつなぐことを特徴とする。【０００７】第３の発明は長尺の布状のものがマイナスイオン発生体または遠赤外線放射性物質または電磁波を発する磁気体またはゲルマニウム等を含有する布地で形成されていることを特徴とする。
【発明の効果】
【０００８】第１の発明、第２の発明によれば、シャツの襟をたてシャツの上から本体を首に巻き、本体の上からネクタイを締めることで上から押さえ密着させ、ネクタイを締めた時に表れる三角部分の中にひも体と接合部材を隠して襟をもとにもどすことにより外観上見えなくなり、つけていることを忘れる程気にならない。【０００９】第３の発明によれば、本体のシャツの襟に納まった長尺の布状のものが、マイナスイオン発生体または遠赤外線放射性物質または電磁波を発する磁気体またはゲルマニウム等を含有する布地が密着するので用途症状にあわせた保温、治療が可能となる。
【発明を実施するための最良の形態】
【００１０】この発明の一実施形態を図１に示す。シャツ用健康首巻き本体１はシャツの襟４の幅より狭く長尺で襟の内側に納まる長さの布状のものであり、布状の部分は用途症状にあわせマイナスイオン発生体または遠赤外線放射性物質または電磁波を発する磁気体またはゲルマニウム等を含有する布地である。【００１１】ゴム紐（ひも体）２はシャツ用健康首巻き本体１の両端にとりつけ首に一周まわした時に端と端が接合するために設けられるもので、輪の形でシャツ用健康首巻き本体１の両端に取り付けられている。さらに、ゴム紐（ひも体）２についた接合ボタン３（接合部材）にて本体全体を接合する。【００１２】「実施形態の効果」
この実施形態によれば、軽量で、ポケットにはいるので持ち運びに便利。また、シャツ、ネクタイ、肌着に季節や症状に合わせた特殊なものを買い揃える必要がなく、オールシーズンどんなシャツ、ネクタイにも納まり着脱可能であるので経済的である。【００１３】「他の実施形態」
図１のシャツ用健康首巻き本体１は布状であったが、目的は外観みえないことと保温、治療にあるので他の実施形態では素材が用途に合わせプラスチック等のシートでもよい。また、ゴム紐（ひも体）２、接合ボタン（接合部材）３は両端を接合しネクタイ５の三角部分に隠す目的であるので、他の実施形態では、ゴム紐（ひも体）２は輪にする必要がなく、また、素材はゴム紐にこだわらず単に紐等でも良い。接合ボタン（接合部材）３は、他の実施形態では、専用のプラスチック又は、金属金具でもよい。
【図面の簡単な説明】
【００１４】
【図１】この発明の一実施形態を示す本体を装着しネクタイを締めた後の斜視図である。
【図２】この発明の一実施形態を示す本体を装着しネクタイを締める前の斜視図である。
【図３】この発明の平面図である。
【符号の説明】
【００１５】１  シャツ用健康首巻き本体  ２  ゴム紐（ひも体）  ３  接合ボタン（接合部材）
４  シャツの襟          ５  ネクタイ
【図１】
2006223812.tif 000003
【図２】
2006223812.tif 000004
【図３】
2006223812.tif 000005